(57)【要約】本発明は、寿命の計算方法、装置、プログラム、及び記録媒体に関し、浄化の分野に属する。前記方法は、清浄器のモーターが所定の回転速度で回転するように制御するステップと、サンプリング電流とサンプリング電圧中の少なくとも１つである前記モーターのサンプリングパラメーターを得るステップと、前記サンプリングパラメーターに基づいて、前記清浄器の使用寿命を確定し、前記サンプリングパラメーターと前記使用寿命とは正の相関関係を有するステップと、を含む。本発明は、フィルターの汚染による目詰まりの程度がモーターの駆動電流の大きさと正の相関関係を有する特徴に基づいて、モーターのサンプルパラメーターからフィルターの汚染による目詰まりの程度を確定して、フィルターの使用寿命を確定することができる。本発明によれば、使用期間による寿命の判断が不正確な問題を解消して、使用寿命の計算結果の正確度を向上させた。【選択図】図１
2018502274.tif 000002
【特許請求の範囲】
【請求項１】
清浄器のモーターが所定の回転速度で回転するように制御するステップと、
サンプリング電流とサンプリング電圧中の少なくとも１つである前記モーターのサンプリングパラメーターを獲得するステップと、
前記サンプリングパラメーターに基づいて、前記清浄器の使用寿命を確定し、前記サンプリングパラメーターと前記使用寿命とは正の相関関係を有するステップと、
を含むことを特徴とする寿命の計算方法。
【請求項２】
前記サンプリングパラメーターに基づいて、前記清浄器の使用寿命を確定するステップは、
異なるサンプリングパラメーターと異なる寿命の間の関係を記憶するための予め設定された対応関係を読み取るステップと、
前記対応関係の中で、前記サンプリングパラメーターに対応する使用寿命を検索するステップと、
を含むことを特徴とする請求項１に記載の方法。
【請求項３】
前記清浄器のモーターが所定の回転速度で回転するように制御するステップと、
前記モーターの最大サンプリングパラメーターと最小サンプリングパラメーターを測定し、前記最大サンプリングパラメーターは、前記清浄器に新しいフィルターを設けた場合のサンプリングパラメーターであり、前記最小サンプリングパラメーターは前記清浄器に定格寿命に達したフィルターを設けた場合のサンプリングパラメーターであるステップと、
前記最大サンプリングパラメーターと前記最小サンプリングパラメーターから構成された区間を確定するステップと、
前記区間内の数値と使用寿命の間の対応関係を確立するステップと、
をさらに含むことを特徴とする請求項２に記載の方法。
【請求項４】
前記使用寿命が使用百分比である場合、前記区間内の数値と使用寿命の間の対応関係を確立するステップは、
前記区間を１００等分して、それぞれの数値を得るステップと、
それぞれ数値の前記区間内における位置に基づいて、前記数値に対応する使用百分比を確定し、前記対応関係を確立するステップと、
を含むことを特徴とする請求項３に記載の方法。
【請求項５】
前記モーターのサンプリングパラメーターを獲得するステップは、
前記サンプリングパラメーターがサンプリング電流である場合、前記モーターのサンプリング電圧を獲得するステップと、
前記サンプリング電圧を前記モーターの抵抗で割って、前記サンプリングパラメーターを得るステップと、
を含むことを特徴とする請求項１〜４のいずれか１項に記載の方法。
【請求項６】
清浄器のモーターが所定の回転速度で回転するように制御する第１の制御モジュールと、
サンプリング電流とサンプリング電圧中の少なくとも１つである前記モーターのサンプリングパラメーターを獲得するパラメータ獲得モジュールと、
前記パラメータ獲得モジュールにより得た前記サンプリングパラメーターに基づいて、前記清浄器の使用寿命を確定し、前記サンプリングパラメーターと前記使用寿命とは正の相関関係を有する寿命確定モジュールと、
を備えることを特徴とする寿命の計算装置。
【請求項７】
前記寿命確定モジュールは、
異なるサンプリングパラメーターと異なる寿命の間の関係を記憶するための対応関係を読み取る予め設定された関係読み取りサブモジュールと、
前記関係読み取りサブモジュールにより獲得した前記対応関係中で、前記サンプリングパラメーターに対応する使用寿命を検索する寿命検索サブモジュールと、
を備えることを特徴とする請求項６に記載の装置。
【請求項８】
前記清浄器のモーターが前記所定の回転速度で回転するように制御する第２の制御モジュールと、
前記モーターの最大サンプリングパラメーターと最小サンプリングパラメーターを測定し、前記最大サンプリングパラメーターは、前記清浄器に新しいフィルターを設けた場合のサンプリングパラメーターであり、前記最小サンプリングパラメーターは、前記清浄器に定格寿命に達したフィルターを設けた場合のサンプリングパラメーターであるパラメーター測定モジュールと、
前記パラメーター測定モジュールにより得た前記最大サンプリングパラメーターと前記最小サンプリングパラメーターから構成された区間を確定する区間確定モジュールと、
前記区間確定モジュールにより確定した区間内の数値と使用寿命の間の対応関係を確立する関係確立モジュールと、
をさらに備えることを特徴とする請求項７に記載の装置。
【請求項９】
前記使用寿命が使用百分比である場合、前記関係確立モジュールは、
前記区間を１００等分して、それぞれの数値を得る区間等分サブモジュールと、
前記区間等分サブモジュールにより得たそれぞれ数値の前記区間内における位置に基づいて、前記数値に対応する使用百分比を確定し、前記対応関係を確立する関係確立サブモジュールと、
を備えることを特徴とする請求項８に記載の装置。
【請求項１０】
前記パラメーター獲得モジュールは、
前記サンプリングパラメーターがサンプリング電流である場合、前記モーターのサンプリング電圧を獲得する電圧獲得サブモジュールと、
前記電圧獲得サブモジュールにより得たサンプリング電圧を前記モーターの抵抗で割って、前記サンプリングパラメーターを得るパラメーター獲得サブモジュールと、
を備えることを特徴とする請求項６〜９のいずれか１項に記載の装置。
【請求項１１】
プロセッサーと、
プロセッサーで実行可能な指令を記憶するためのメモリを備え、
前記プロセッサーは、
清浄器のモーターが所定の回転速度で回転するように制御し、
サンプリング電流とサンプリング電圧中の少なくとも１つである前記モーターのサンプリングパラメーターを獲得し、
前記サンプリングパラメーターに基づいて、前記清浄器の使用寿命を確定し、前記サンプリングパラメーターと前記使用寿命とは正の相関関係を有するように構成されることを特徴とする寿命の計算装置。
【発明の詳細な説明】
【相互参照】
【０００１】
本願は、出願番号が２０１５１０８４６５５５．２であって、出願日が２０１５年１１月２７日である中国特許出願に基づき優先権を主張し、当該中国特許出願の内容のすべてを本願に援用する。
【技術分野】
【０００２】
本発明は、浄化の分野に関し、特に寿命の計算方法及び装置に関する。
【背景技術】
【０００３】
清浄器のフィルターは使用寿命が限られている。空気の清浄効果を確保するためには、汚染されて目詰まったフィルターを適時に取り替える必要がある。
【０００４】
従来技術において、異なる段階により清浄器を作動させる場合、それぞれの段階での動作時間を記録し、各動作時間とこれに対応する係数を乗じて得られた値を加えることにより、フィルターの現在の使用寿命を計算することができる。
【発明の概要】
【発明が解決しようとする課題】
【０００５】
本発明は、従来技術に存在する問題を解決するための、寿命の計算方法及び装置を提供する。
【課題を解決するための手段】
【０００６】
本発明の第１の態様によれば、寿命の計算方法を提供し、前記方法は、
清浄器のモーターが所定の回転速度で回転するように制御するステップと、
サンプリング電流とサンプリング電圧中の少なくとも１つである前記モーターのサンプリングパラメーターを獲得するステップと、
前記サンプリングパラメーターに基づいて、前記清浄器の使用寿命を確定し、前記サンプリングパラメーターと前記使用寿命とは正の相関（ｐｏｓｉｔｉｖｅ ｃｏｒｒｅｌａｔｉｏｎ）関係を有するステップと、を含む。
【０００７】
選択的に、前記サンプリングパラメーターに基づいて、前記清浄器の使用寿命を確定するステップは、
異なるサンプリングパラメーターと異なる寿命の間の関係を記憶するための予め設定された対応関係を読み取るするステップと、
前記対応関係の中で、前記サンプリングパラメーターに対応する使用寿命を検索するステップと、を含む。
【０００８】
選択的に、前記方法は、
前記清浄器のモーターが前記所定の回転速度で回転するように制御するステップと、
前記モーターの最大サンプリングパラメーターと最小サンプリングパラメーターを測定し、ここで、前記最大サンプリングパラメーターは、前記清浄器に新しいフィルターを設けた場合のサンプリングパラメーターであり、前記最小サンプリングパラメーターは、前記清浄器に定格寿命に達したフィルターを設けた場合のサンプリングパラメーターであるステップと、
前記最大サンプリングパラメーターと前記最小サンプリングパラメーターから構成された区間を確定するステップと、
前記区間内の数値と使用寿命の間の対応関係を確立するステップと、をさらに含む。
【０００９】
選択的に、前記使用寿命が使用百分比である場合、前記区間内の数値と使用寿命の間の対応関係を確立するステップは、
前記区間を１００等分して、それぞれ数値を得るステップと、
それぞれ数値の前記区間内における位置に基づき、前記数値に対応する使用百分比を確定して、前記対応関係を確立するステップと、を含む。
【００１０】
選択的に、前記モーターのサンプリングパラメーターを獲得するステップは、
前記サンプリングパラメーターがサンプリング電流である場合、前記モーターのサンプリング電圧を獲得するステップと、
前記サンプリング電圧を前記モーターの抵抗で割って、前記サンプリングパラメーターを得るステップと、を含む。
【００１１】
本発明の第２の態様によれば、寿命の計算装置を提供し、前記装置は、
清浄器のモーターが所定の回転速度で回転するように制御する第１の制御モジュールと、
サンプリング電流とサンプリング電圧中の少なくとも１つである前記モーターのサンプリングパラメーターを得るパラメーター獲得モジュールと、
前記パラメーター獲得モジュールにより得た前記サンプリングパラメーターに基づき、前記清浄器の使用寿命を確定し、前記サンプリングパラメーターと前記使用寿命とは正の相関関係を有する寿命確定モジュールと、を備える。
【００１２】
選択的に、前記寿命確定モジュールは、
異なるサンプリングパラメーターと異なる寿命の間の関係を記憶するための対応関係を読み取る予め設定された関係読み取りサブモジュールと、
前記関係読み取りサブモジュールにより獲得した前記対応関係の中で、前記サンプリングパラメーターに対応する使用寿命を検索する寿命検索サブモジュールと、を備える。
【００１３】
選択的に、前記装置は、
前記清浄器のモーターが前記所定の回転速度で回転するように制御する第２の制御モジュールと、
前記モーターの最大サンプリングパラメーターと最小サンプリングパラメーターを測定し、前記最大サンプリングパラメーターは、前記清浄器に新しいフィルターを設けた場合のサンプリングパラメーターであり、前記最小サンプリングパラメーターは、前記清浄器に定格寿命に達したフィルターを設けた場合のサンプリングパラメーターであるパラメーター測定モジュールと、
前記パラメーター測定モジュールにより得た前記最大サンプリングパラメーターと前記最小サンプリングパラメーターで構成された区間を確定する区間確定モジュールと、
前記区間確定モジュールで確定した区間内の数値と使用寿命の間の対応関係を確立する関係確立モジュールと、をさらに備える。
【００１４】
選択的に、前記使用寿命が使用百分比である場合、前記関係確立モジュールは、
前記区間を１００等分して、それぞれ数値を得る区間等分サブモジュールと、
前記区間等分サブモジュールにより得たそれぞれ数値の前記区間内における位置に基づいて、前記数値に対応する使用百分比を確定して、前記対応関係を確立する関係確立サブモジュールと、を備える。
【００１５】
選択的に、前記パラメーター獲得モジュールは、
前記サンプリングパラメーターがサンプリング電流である場合、前記モーターのサンプリング電圧を獲得する電圧獲得サブモジュールと、
前記電圧獲得サブモジュールにより得たサンプリング電圧を前記モーターの抵抗で割って、前記サンプリングパラメーターを得るパラメーター獲得サブモジュールと、を備える。
【００１６】
本発明の第３の態様によれば、寿命の計算装置を提供し、前記装置は、
プロセッサーと、
プロセッサーで実行可能な指令を記憶するためのメモリを備え、
前記プロセッサーは、
清浄器のモーターが所定の回転速度で回転するように制御し、ンプリング電流とサンプリング電圧中の少なくとも１つである前記モーターのサンプリングパラメーターをを獲得し、
前記サンプリングパラメーターに基づいて、前記清浄器の使用寿命を確定し、前記サンプリングパラメーターと前記使用寿命とは正の相関関係を有するように構成される。
【発明の効果】
【００１７】
本発明に提供された技術案によれば、以下のような技術効果が奏される。
【００１８】
清浄器のモーターが所定の回転速度で回転するように制御し、サンプリング電流とサンプリング電圧中の少なくとも１つであるモーターのサンプリングパラメーターを獲得し、当該サンプリングパラメーターに基づき清浄器の使用寿命を確定し、前記サンプリングパラメーターと使用寿命とが正の相関関係を有させることにより、フィルターの汚染による目詰まりの程度がモーターの駆動電流の大きさと正の相関関係を有する特徴に基づいて、モーターのサンプルパラメーターからフィルターの汚染による目詰まりの程度を確定し、フィルターの使用寿命を確定することができる。このように、使用期間による寿命の判断が不正確な問題を解消して、使用寿命の計算結果の正確度を向上させた。
【００１９】
また、使用寿命を計算する時の回転速度と、対応関係を確立する時の回転速度を一致させることにより、回転速度がモーターのサンプリングパラメーターに与える影響を避け、フィルターの汚染による目詰まりの程度がモーターの駆動電流の大きさのみと正の相関関係を有させることになり、使用寿命の計算結果の正確度を向上させた。
【００２０】
また、区間を１００等分して得たそれぞれ数値の区間内における位置により、対応する使用百分比を確定し、対応関係を確立することにより、区間内の１００等分して得た各数値が、それぞれ使用百分比と対応関係を確立して、使用寿命の定量化方法がより細分化され、使用寿命の計算結果の精度を向上させた。
【００２１】
なお、前記一般的な記載及び後述の詳細な記載は、単なる例示的で解釈的な記載であり、本発明を限定しない。
【図面の簡単な説明】
【００２２】
ここの図面は、明細書に組み入れて本明細書の一部分を構成し、本発明に該当する実施例を例示するとともに、明細書とともに本発明の原理を解釈する。
【００２３】
【図１】一例示的な実施例に係る寿命の計算方法を示すフローチャートである。
【図２Ａ】他の例示的な実施例に係る寿命の計算方法を示すフローチャートである。
【図２Ｂ】本例示的な実施例に係る対応関係を確立する方法を示すフローチャートである。
【図２Ｃ】本例示的な実施例に係るサンプリングパラメーターを獲得する方法を示すフローチャートである。
【図３】一例示的な実施例に係る寿命の計算装置を示すブロックチャートである。
【図４】一例示的な実施例に係る寿命の計算装置を示すブロックチャートである。
【図５】一例示的な実施例に係る寿命の計算に用いられる装置を示すブロックチャートである。
【発明を実施するための形態】
【００２４】
以下、例示的な実施例を詳しく説明し、その例示を図面に示す。以下の記載が図面に関わる場合、特に別の説明がない限り、異なる図面における同一符号は、同じ又は類似する要素を示す。以下の例示的な実施形態に記載の実施例は、本発明と一致する全ての実施例を代表するものではない。即ち、それらは、特許請求の範囲に記載の本発明のある側面に一致する装置及び方法の例に過ぎない。
【００２５】
図１は、一例示的な実施例に係る寿命の計算方法を示すフローチャートであり、前記方法は清浄器に用いられる。図１に示すように、前記寿命の計算方法は下記のステップ１０１〜ステップ１０３を含んでもよい。
【００２６】
ステップ１０１：清浄器のモーターが所定の回転速度で回転するように制御する。
【００２７】
ステップ１０２：サンプリング電流とサンプリング電圧中の少なくとも１つであるモーターのサンプリングパラメーターを獲得する。
【００２８】
ステップ１０３：サンプリングパラメーターに基づき、清浄器の使用寿命を確定し、前記サンプリングパラメーターと使用寿命とは正の相関関係を有する。
【００２９】
上述のように、本発明の寿命の計算方法によれば、清浄器のモーターが所定の回転速度で回転するように制御し、サンプリング電流とサンプリング電圧中の少なくとも１つであるモーターのサンプリングパラメーターを獲得し、当該サンプリングパラメーターに基づき清浄器の使用寿命を確定し、前記サンプリングパラメーターと使用寿命とが正の相関関係を有することにより、フィルターの汚染による目詰まりの程度がモーターの駆動電流の大きさと正の相関関係を有する特徴に基づいて、モーターのサンプルパラメーターからフィルターの汚染による目詰まりの程度を確定し、フィルターの使用寿命を確定することができる。このように、使用期間による寿命の判断が不正確な問題を解消して、使用寿命の計算結果の正確度を向上させた。
【００３０】
図２Ａは、他の例示的な実施例に係る寿命の計算方法を示すフローチャートであり、当該方法は清浄器に用いられる。図２Ａに示すように前記寿命の計算方法は、次のステップを含んでもよい。
【００３１】
ステップ２０１：清浄器のモーターが所定の回転速度で回転するように制御する。
【００３２】
清浄器のモーターを駆動させることにより、清浄器の空気浄化を制御することができる。ここで、モーターは異なる回転速度を有し、モーターの回転速度が速いほど、モーターの駆動電流も大きい。
【００３３】
本実施例で、ユーザーは手動によりモーターの回転速度を任意の数値に調整することができ、清浄器は当該数値を所定の回転速度と確定する。
【００３４】
ステップ２０２：モーターの最大サンプリングパラメーターと最小サンプリングパラメーターを測定し、ここで、前記最大サンプリングパラメーターは、前記清浄器に新しいフィルターを設けた場合のサンプリングパラメーターであり、前記最小サンプリングパラメーターは、前記清浄器に定格寿命に達したフィルターを設けた場合のサンプリングパラメーターである。
【００３５】
清浄器に新しいフィルターを設けた場合、空気が前記フィルタを通過する通路は目詰まりがなく、よく通じ、この時、モーターにかかる駆動電流も比較的に小さくなる。前記新しいフィルターを一定時間使用すると、その前に浄化した空気中の不純物がフィルターに吸着されることにより、フィルターに汚染による目詰まりが起こされ、空気が前記フィルタを通過する通路も前のようにスムーズにならず、モーターにかかる駆動電流も元より大きくなる。これからわかるように、フィルターの汚染による目詰まりの程度は駆動電流の大きさと正の相関関係を有する。即ち、清浄器の使用寿命が長いほど、フィルターの汚染による目詰まりの程度は厳しく、駆動電流も大きい。上記の結果に基づいて、清浄器の使用寿命と駆動電流の間の対応関係を予め設定することができる。
【００３６】
電圧は電流に抵抗を乗じて得られるので、モーターの電圧により清浄器の使用寿命を確定することもできる。この場合の電圧は、モーターの定格電圧ではなく、サンプリング電圧である。以下の説明において、駆動電流と駆動電圧をサンプリングパラメーターと総称する。
【００３７】
使用寿命とサンプリングパラメーターとの間の対応関係を確立する場合、まず、清浄器に新しいフィルターを設けた場合のサンプリングパラメーターを測定して最小サンプリングパラメーターとして確定し、また定格寿命に達したフィルターを設けた場合のサンプリングパラメーターを測定して最大サンプリングパラメーターとして確定することができる。ここで、モーターのサンプリングパラメーターを測定する技術は、すでに公知された技術であるため、本実施例ではこれに対する説明を省略する。
【００３８】
ステップ２０３：最大サンプリングパラメーターと最小サンプリングパラメーターで構成された区間を確定する。
【００３９】
例えば、サンプリングパラメーターが電流である場合、最大サンプリングパラメーターを３Ａとし、最小サンプリングパラメーターを２Ａとして、前記区間は[２，３]として確定することができる。
【００４０】
ステップ２０４：区間内の数値と使用寿命の間の対応関係を確立する。
【００４１】
本実施例において、数値と使用寿命に対し計算公式を生成することができ、数値と使用寿命の間に対応関係を確立することもでき、また、その他の方法により対応関係を確立することもできる。本実施例では、これに対して限定しない。
【００４２】
図２Ｂは、対応関係を確立する方法を示すフローチャートである。使用寿命が使用百分率である場合、区間内の数値と使用寿命との対応関係の確立するステップは、下記のステップ２０４１とステップ２０４２を含んでもよい。
【００４３】
ステップ２０４１：区間を１００等分して、それぞれの数値を得る。
【００４４】
ステップ２０４２：前記数値の区間内における位置に基づいて、数値に対応する使用百分比を確定し、対応関係を確立する。
【００４５】
同様に、前記区間[２,３]を例に挙げて説明すると、区間を１００等分して得られた１００個の数値は２、２．０１、２．０２、……、２．９８、２．９９、３であり、この場合、２に対応する使用百分比は０％、２．０１に対応する使用百分比は１％、２．０２に対応する使用百分比は２％、……，２．９８に対応する使用百分比は９８％、２．９９に対応する使用百分比は９９％、３に対応する使用百分比は１００％である。
【００４６】
区間内の１００等分して得た各数値と、使用百分比との間に対応関係を確立することにより、使用寿命の定量化方法がより細分化され、使用寿命の計算結果の精度を向上させた。
【００４７】
ここで、ステップ２０１〜ステップ２０４は、サンプリングパラメーターと使用寿命の間の対応関係を生成するために使用され、ステップ２０７の前に実施すればよい。本実施例は、ステップ２０１〜ステップ２０４と、ステップ２０５、ステップ２０６との実施手順の前後について限定しない。
【００４８】
ステップ２０５：清浄器のモーターが所定の回転速度で回転するように制御する。
【００４９】
このステップにおける所定の回転速度は、ステップ２０１においてユーザーが手動的に調節した回転速度と同じである。
【００５０】
使用寿命を計算する時の回転速度と、対応関係を確立する時の回転速度を一致させることにより、回転速度がモーターのサンプリングパラメーターに与える影響が避けて、フィルターの汚染による目詰まりの程度がモーターの駆動電流の大きさのみと正の相関関係を有するようになり、使用寿命の計算結果の正確度を向上させた。
【００５１】
ステップ２０６：モーターのサンプリングパラメーター獲得し、前記サンプリングパラメーターはサンプリング電流とサンプリング電圧中の少なくとも１つである。
【００５２】
サンプリングパラメーターがサンプリング電圧である場合、関連技術により直接にサンプリング電圧を獲得することができる。サンプリングパラメーターがサンプリング電流である場合、図２Ｃに示したサンプリングパラメーターを獲得するフローチャートを参照することができる。ここで、モータのサンプリングパラメーターの獲得するステップは、下記のステップ２０６１とステップ２０６２を含んでもよい。
【００５３】
ステップ２０６１：サンプリングパラメーターがサンプリング電流である場合、モーターのサンプリング電圧を獲得する。
【００５４】
ステップ２０６２：サンプリング電圧をモーターの抵抗で割って、サンプリングパラメーターを得る。
【００５５】
モーターの抵抗は既知のパラメーターであるため、関連技術によりサンプリング電圧を直接に獲得することができ、また、当該サンプリング電圧をモーターの抵抗で割って、サンプリング電流を得ることができ、即ちサンプリングパラメーターを得ることができる。
【００５６】
ステップ２０７：異なるサンプリングパラメーターと異なる寿命の間の関係を記憶するための予め設定された対応関係を読み取る。
【００５７】
ステップ２０８：対応関係において、サンプリングパラメーターに対応する使用寿命を検索し、前記サンプリングパラメーターは使用寿命と正の相関関係を有する。
【００５８】
例えば、サンプリングパラメーターが２．５４Ａであり、且つ対応関係において２．５４に対応する使用百分比が５４％である場合、この時のフィルターの使用百分比が５４％であると確定することができる。
【００５９】
前記のように、本発明の寿命の計算方法によれば、清浄器のモーターが所定の回転速度で回転するように制御し、サンプリング電流とサンプリング電圧中の少なくとも１つであるモーターのサンプリングパラメーターを獲得し、当該サンプリングパラメーターに基づき清浄器の使用寿命を確定し、前記サンプリングパラメーターと使用寿命とが正の相関関係を有することにより、フィルターの汚染による目詰まりの程度がモーターの駆動電流の大きさと正の相関関係を有する特徴に基づいて、モーターのサンプルパラメーターからフィルターの汚染による目詰まりの程度を確定して、フィルターの使用寿命を確定することができる。このように、使用期間による寿命の判断が不正確な問題を解消して、使用寿命の計算結果の正確度を向上させた。
【００６０】
また、使用寿命を計算する時の回転速度と、対応関係を確立する時の回転速度を一致させることにより、回転速度がモーターのサンプリングパラメーターに与える影響を避け、フィルターの汚染による目詰まりの程度がモーターの駆動電流の大きさのみと正の相関関係を有することになり、使用寿命の計算結果の正確度を向上させた。
【００６１】
また、区間を１００等分して得たそれぞれ数値の区間内における位置により、対応する使用百分比を確定し、対応関係を確立することにより、区間内の１００等分して得た各数値が、それぞれ使用百分比と対応関係を確立して、使用寿命の定量化方法がより細分化され、使用寿命の計算結果の精度を向上させた。
【００６２】
図３は、一例示的な実施例に係る寿命の計算装置を示すブロックチャートであり、前記装置は清浄器に用いられる。図３に示すように、前記寿命の計算装置は第１の制御モジュール３１０と、パラメーター獲得モジュール３２０と、寿命確定モジュール３３０と、を備える。
【００６３】
第１の制御モジュール３１０は、清浄器のモーターが所定の回転速度で回転するように制御する。
【００６４】
パラメーター獲得モジュール３２０は、サンプリング電流とサンプリング電圧中の少なくとも１つであるモーターのサンプリングパラメーターを獲得する。
【００６５】
寿命確定モジュール３３０は、パラメータ獲得モジュール３２０により得られたサンプリングパラメーターに基づいて、清浄器の使用寿命を確定し、前記サンプリングパラメーターは使用寿命と正の相関関係を有する。
【００６６】
前記のように、本発明の寿命の計算装置によれば、清浄器のモーターが所定の回転速度で回転するように制御し、サンプリング電流とサンプリング電圧中の少なくとも１つであるモーターのサンプリングパラメーターを獲得し、当該サンプリングパラメーターに基づき清浄器の使用寿命を確定し、前記サンプリングパラメーターと使用寿命とが正の相関関係を有することにより、フィルターの汚染による目詰まりの程度がモーターの駆動電流の大きさと正の相関関係を有する特徴に基づいて、モーターのサンプルパラメーターからフィルターの汚染による目詰まりの程度を確定して、フィルターの使用寿命を確定することができる。このように、使用期間による寿命の判断が不正確な問題を解消して、使用寿命の計算結果の正確度を向上させた。
【００６７】
図４は、一例示的な実施例に係る寿命の計算装置を示すブロックチャートであり、前記装置は清浄器に用いられる。図４に示すように前記寿命の計算装置は、第１の制御モジュール４１０と、パラメーター獲得モジュール４２０と、寿命確定モジュール４３０と、を備える。
【００６８】
第１の制御モジュール４１０は、清浄器のモーターが所定の回転速度で回転するように制御する。
【００６９】
パラメーター獲得モジュール４２０は、サンプリング電流とサンプリング電圧中の少なくとも１つであるモーターのサンプリングパラメーターを獲得する。
【００７０】
寿命確定モジュール４３０は、パラメーター獲得モジュール４２０により得られたサンプリングパラメーターに基づいて、清浄器の使用寿命を確定し、前記サンプリングパラメーターは使用寿命と正の相関関係を有する。
【００７１】
選択的に、寿命確定モジュール４３０は、関係読み取りサブモジュール４３１と寿命検索サブモジュール４３２とを備える。
【００７２】
関係読み取りサブモジュール４３１は、異なるサンプリングパラメーターと異なる寿命の間の関係を記憶するための予め設定された対応関係を読み取る。
【００７３】
寿命検索サブモジュール４３２は、関係読み取りサブモジュール４３１により獲得した対応関係の中で、サンプリングパラメーターに対応する使用寿命を検索する。
【００７４】
選択的に、本実施例に提供された寿命の計算装置は、第２の制御モジュール４４０と、パラメーター測定モジュール４５０と、区間確定モジュール４６０と、関係確立モジュール４７０と、をさらに備える。
【００７５】
第２の制御モジュール４４０は、清浄器のモーターが所定の回転速度で回転するように制御する。
【００７６】
パラメーター測定モジュール４５０は、モーターの最大サンプリングパラメーターと最小サンプリングパラメーターを測定し、ここで、最大サンプリングパラメーターは、清浄器に新しいフィルターを設けた場合のサンプリングパラメーターであり、最小サンプリングパラメーターは、清浄器に定格寿命に達したフィルターを設けた場合のサンプリングパラメーターである。
【００７７】
区間確定モジュール４６０は、パラメーター測定モジュール４５０により獲得した最大サンプリングパラメーターと最小サンプリングパラメーターから構成された区間を確定する。
【００７８】
関係確立モジュール４７０は、区間確定モジュールにより確定した区間内の数値と使用寿命の間の対応関係を確立する。
【００７９】
選択的に、使用寿命が使用百分比である場合、関係確立モジュール４７０は、区間等分サブモジュール４７１と、関係確立サブモジュール４７２と、を備える。
【００８０】
区間等分サブモジュール４７１は、区間を１００等分して、それぞれの数値を得る。
【００８１】
関係確立サブモジュール４７２は、区間等分サブモジュール４７１により得たそれぞれの数値の区間内における位置に基づいて、数値に対応する使用百分比を確定し、対応関係を確立する。
【００８２】
選択的に、パラメーター獲得モジュール４２０は、電圧獲得サブモジュー４２１と、パラメーター獲得サブモジュール４２２と、を備える。
【００８３】
電圧獲得サブモジュール４２１は、サンプリングパラメーターがサンプリング電流である場合、モーターのサンプリング電圧を獲得する。
【００８４】
パラメータ獲得サブモジュール４２２は、電圧獲得サブモジュール４２１により得たサンプリング電圧をモーターの抵抗で割って、サンプリングパラメーターを得る。
【００８５】
前記のように、本発明の寿命の計算装置によれば、清浄器のモーターが所定の回転速度で回転するように制御し、サンプリング電流とサンプリング電圧中の少なくとも１つであるモーターのサンプリングパラメーターを獲得し、当該サンプリングパラメーターに基づき清浄器の使用寿命を確定し、前記サンプリングパラメーターと使用寿命とが正の相関関係を有することにより、フィルターの汚染による目詰まりの程度がモーターの駆動電流の大きさと正の相関関係を有する特徴に基づいて、モーターのサンプルパラメーターからフィルターの汚染による目詰まりの程度を確定して、フィルターの使用寿命を確定することができる。このように、使用期間による寿命の判断が不正確な問題を解消して、使用寿命の計算結果の正確度を向上させた。
【００８６】
また、使用寿命を計算する時の回転速度と、対応関係を確立する時の回転速度を一致させることにより、回転速度がモーターのサンプリングパラメーターに与える影響を避け、フィルターの汚染による目詰まりの程度がモーターの駆動電流の大きさのみと正の相関関係を有することになり、使用寿命の計算結果の正確度を向上させた。
【００８７】
また、区間を１００等分して得たそれぞれ数値の区間内における位置により、対応する使用百分比を確定し、対応関係を確立することにより、区間内の１００等分して得た各数値が、それぞれ使用百分比と対応関係を確立して、使用寿命の定量化方法がより細分化され、使用寿命の計算結果の精度を向上させた。
【００８８】
上記実施例の装置において、各モジュールが操作を行う具体的な方法は、すでに関連方法の実施例で詳しく説明しており、ここで詳細な説明を省略する。
【００８９】
本発明の一例示的な実施例によれば、本発明の寿命の計算方法を実現するための寿命の計算装置を提供し、前記装置は、
プロセッサーと、
プロセッサーで実行可能な指令を記憶するためのメモリを備え、
前記プロセッサーは、
清浄器のモーターが前記所定の回転速度で回転するように制御し、サンプリング電流とサンプリング電圧中の少なくとも１つであるモーターのサンプリングパラメーターを獲得し、サンプリングパラメーターに基づいて、清浄器の使用寿命を確定し、前記サンプリングパラメーターと使用寿命とは正の相関関係を有するように構成される。
【００９０】
図５は、一例示的な実施例に係る空気の浄化に用いられる装置５００を示すブロックチャートである。例えば、装置５００は清浄器であってもよい。
【００９１】
図５に示すように、装置５００は、処理ユニット５０２、メモリ５０４、電源ユニット５０６、浄化ユニット５０８、センサーユニット５１０、及び通信ユニット５１２中の少なくとも１つを含む。
【００９２】
処理ユニット５０２は、一般的には、装置５００の全体の操作を制御する。処理ユニット５０２は、上述した方法におけるステップの一部又は全部を実現できるように、命令を実行する少なくとも１つのプロセッサー５１８を備えてもよい。また、処理ユニット５０２は、他のユニットとのインタラクションを便利にさせるように、少なくとも１つのモジュールを備えてもよい。例えば、処理ユニット５０２は、センサーユニット５１０や通信ユニット５１２とインタラクションをすることができる。
【００９３】
メモリ５０４は、装置５００での操作をサポートするように、各種のデータを記憶するように配置される。これらのデータは、例えば、装置５００で何れのアプリケーション又は方法を操作するための命令を含む。メモリ５０４は、何れの種類の揮発性又は不揮発性メモリ、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクにより、或いはそれらの組み合わせにより実現することができる。
【００９４】
電源ユニット５０６は、装置５００の各種ユニットに電力を供給するためのものであり、電源管理システム、１つ又は複数の電源、及び装置５００のために電力を生成、管理及び分配することに関連する他のユニットを備えてもよい。
【００９５】
浄化ユニット５０８は、モーターを含み、吸入した空気を浄化し、浄化された空気を再放出するために用いられる。一可能な実施形態において、浄化ユニット５０８は、空気中の有害性物質を吸着することにより空気を浄化させる。他の１つの実施形態において、浄化ユニット５０８は、負酸素イオンを放出することにより空気を浄化させる。また、浄化ユニット５０８は、他の形態により空気を浄化することができ、ここでこれに対する説明を省略する。
【００９６】
センサーユニット５１０は、装置５００のために各方面の状態を評価する少なくとも１つのセンサーを備える。例えば、センサーユニット５１０は、空気中の粉塵濃度を測定することができる。
【００９７】
通信ユニット５１２は、装置５００と他の設備の間との無線又は有線通信を便利にさせるように配置される。装置５００は、通信標準に基づく無線ネットワーク、例えば、ＷｉＦｉ、２Ｇ又は３Ｇ、又はそれらの組み合わせにアクセスできる。１つの例示的な実施例では、通信ユニット５１２は、ブロードキャストチャンネルを介して外部のブロードキャスト管理システムからのブロードキャスト信号又はブロードキャストに関する情報を受信する。１つの例示的な実施例では、前記通信ユニット５１２は、近距離通信を促進するために近距離無線通信（ＮＦＣ）モジュールをさらに備えてもよい。例えば、ＮＦＣモジュールは、無線周波数認識装置（ＲＦＩＤ：Ｒａｄｉｏ Ｆｒｅｑｕｅｎｃｙ ＩＤｅｎｔｉｆｉｃａｔｉｏｎ）技術、赤外線データ協会（ＩｒＤＡ：Ｉｎｆｒａｒｅｄ Ｄａｔａ Ａｓｓｏｃｉａｔｉｏｎ）技術、超広帯域無線（ＵＷＢ：Ｕｌｔｒａ Ｗｉｄｅ Ｂａｎｄ）技術、ブルートゥース（登録商標）（ＢＴ：Ｂｌｕｅｔｏｏｔｈ）技術及び他の技術によって実現されてもよい。
【００９８】
例示的な実施例では、装置５００は、上述した方法を実行するために、１つ又は複数の特定用途向け集積回路（ＡＳＩＣ：Ａｐｐｌｉｃａｔｉｏｎ Ｓｐｅｃｉｆｉｃ Ｉｎｔｅｇｒａｔｅｄ Ｃｉｒｃｕｉｔ）、デジタル信号プロセッサー（ＤＳＰ：Ｄｉｇｉｔａｌ Ｓｉｇｎａｌ Ｐｒｏｃｅｓｓｏｒ）、デジタル信号処理デバイス（ＤＳＰＤ：Ｄｉｇｉｔａｌ Ｓｉｇｎａｌ Ｐｒｏｃｅｓｓｉｎｇ Ｄｅｖｉｃｅ）、プログラマブルロジックデバイス（ＰＬＤ：Ｐｒｏｇｒａｍｍａｂｌｅ Ｌｏｇｉｃ Ｄｅｖｉｃｅ）、書替え可能ゲートアレイ（ＦＰＧＡ：Ｆｉｅｌｄ−Ｐｒｏｇｒａｍｍａｂｌｅ Ｇａｔｅ Ａｒｒａｙ）、コントローラ、マイクロコントローラ、マイクロプロセッサー、又は他の電子機器によって実現されてもよい。
【００９９】
例示的な実施例では、命令を有する非一時的コンピュータ読み取り可能な記録媒体、例えば、命令を有するメモリ５０４をさらに提供する。前記命令は、装置５００のプロセッサー５１８により実行されて上述した方法を実現する。例えば、前記非一時的コンピュータ読み取り可能な記録媒体は、ＲＯＭ、ＲＡＭ、ＣＤ-ＲＯＭ、磁気テープ、フロッピー（登録商標）ディスク及び光データメモリ等であってもよい。
【０１００】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明で開示していない本技術分野の公知知識、又は通常の技術手段を含む。明細書及び実施例は、単に例示的なものであって、本発明の本当の範囲と主旨は、以下の特許請求の範囲によって示される。
【０１０１】
本発明は、上記で記述され、図面で図示した特定の構成に限定されず、その範囲を離脱しない状況で、様々な修正や変更を実施してもよい。本発明の範囲は、添付される特許請求の範囲のみにより限定される。
【図１】
2018502274.tif 000003
【図２Ａ】
2018502274.tif 000004
【図２Ｂ】
2018502274.tif 000005
【図２Ｃ】
2018502274.tif 000006
【図３】
2018502274.tif 000007
【図４】
2018502274.tif 000008
【図５】
2018502274.tif 000009
【手続補正書】
【提出日】平成28年8月4日(2016.8.4)
【手続補正２】
【補正対象書類名】明細書
【補正対象項目名】０００２
【補正方法】変更
【補正の内容】
【０００２】
本発明は、浄化の分野に関し、特に寿命の計算方法、装置、プログラム、及び記録媒体に関する。
【手続補正３】
【補正対象書類名】明細書
【補正対象項目名】０００５
【補正方法】変更
【補正の内容】
【０００５】
本発明は、従来技術に存在する問題を解決するための、寿命の計算方法、装置、プログラム、及び記録媒体を提供する。
【手続補正４】
【補正対象書類名】明細書
【補正対象項目名】００１６
【補正方法】変更
【補正の内容】
【００１６】
本発明の第３の態様によれば、寿命の計算装置を提供し、前記装置は、
プロセッサーと、
プロセッサーで実行可能な指令を記憶するためのメモリを備え、
前記プロセッサーは、
清浄器のモーターが所定の回転速度で回転するように制御し、ンプリング電流とサンプリング電圧中の少なくとも１つである前記モーターのサンプリングパラメーターをを獲得し、
前記サンプリングパラメーターに基づいて、前記清浄器の使用寿命を確定し、前記サンプリングパラメーターと前記使用寿命とは正の相関関係を有するように構成される。
本発明の第４の態様によれば、
プロセッサーに実行されることにより、上記の寿命の計算方法を実現する、プログラムを提供する。
本発明の第５の態様によれば、
上記プログラムが記録されたコンピュータ読取可能な記録媒体を提供する。
【手続補正５】
【補正対象書類名】特許請求の範囲
【補正対象項目名】全文
【補正方法】変更
【補正の内容】
【特許請求の範囲】
【請求項１】
清浄器のモーターが所定の回転速度で回転するように制御するステップと、
サンプリング電流とサンプリング電圧中の少なくとも１つである前記モーターのサンプリングパラメーターを獲得するステップと、
前記サンプリングパラメーターに基づいて、前記清浄器の使用寿命を確定し、前記サンプリングパラメーターと前記使用寿命とは正の相関関係を有するステップと、
を含むことを特徴とする寿命の計算方法。
【請求項２】
前記サンプリングパラメーターに基づいて、前記清浄器の使用寿命を確定するステップは、
異なるサンプリングパラメーターと異なる寿命の間の関係を記憶するための予め設定された対応関係を読み取るステップと、
前記対応関係の中で、前記サンプリングパラメーターに対応する使用寿命を検索するステップと、
を含むことを特徴とする請求項１に記載の寿命の計算方法。
【請求項３】
前記清浄器のモーターが所定の回転速度で回転するように制御するステップと、
前記モーターの最大サンプリングパラメーターと最小サンプリングパラメーターを測定し、前記最大サンプリングパラメーターは、前記清浄器に新しいフィルターを設けた場合のサンプリングパラメーターであり、前記最小サンプリングパラメーターは前記清浄器に定格寿命に達したフィルターを設けた場合のサンプリングパラメーターであるステップと、
前記最大サンプリングパラメーターと前記最小サンプリングパラメーターから構成された区間を確定するステップと、
前記区間内の数値と使用寿命の間の対応関係を確立するステップと、
をさらに含むことを特徴とする請求項２に記載の寿命の計算方法。
【請求項４】
前記使用寿命が使用百分比である場合、前記区間内の数値と使用寿命の間の対応関係を確立するステップは、
前記区間を１００等分して、それぞれの数値を得るステップと、
それぞれ数値の前記区間内における位置に基づいて、前記数値に対応する使用百分比を確定し、前記対応関係を確立するステップと、
を含むことを特徴とする請求項３に記載の寿命の計算方法。
【請求項５】
前記モーターのサンプリングパラメーターを獲得するステップは、
前記サンプリングパラメーターがサンプリング電流である場合、前記モーターのサンプリング電圧を獲得するステップと、
前記サンプリング電圧を前記モーターの抵抗で割って、前記サンプリングパラメーターを得るステップと、
を含むことを特徴とする請求項１〜４のいずれか１項に記載の寿命の計算方法。
【請求項６】
清浄器のモーターが所定の回転速度で回転するように制御する第１の制御モジュールと、
サンプリング電流とサンプリング電圧中の少なくとも１つである前記モーターのサンプリングパラメーターを獲得するパラメータ獲得モジュールと、
前記パラメータ獲得モジュールにより得た前記サンプリングパラメーターに基づいて、前記清浄器の使用寿命を確定し、前記サンプリングパラメーターと前記使用寿命とは正の相関関係を有する寿命確定モジュールと、
を備えることを特徴とする寿命の計算装置。
【請求項７】
前記寿命確定モジュールは、
異なるサンプリングパラメーターと異なる寿命の間の関係を記憶するための対応関係を読み取る予め設定された関係読み取りサブモジュールと、
前記関係読み取りサブモジュールにより獲得した前記対応関係中で、前記サンプリングパラメーターに対応する使用寿命を検索する寿命検索サブモジュールと、
を備えることを特徴とする請求項６に記載の寿命の計算装置。
【請求項８】
前記清浄器のモーターが前記所定の回転速度で回転するように制御する第２の制御モジュールと、
前記モーターの最大サンプリングパラメーターと最小サンプリングパラメーターを測定し、前記最大サンプリングパラメーターは、前記清浄器に新しいフィルターを設けた場合のサンプリングパラメーターであり、前記最小サンプリングパラメーターは、前記清浄器に定格寿命に達したフィルターを設けた場合のサンプリングパラメーターであるパラメーター測定モジュールと、
前記パラメーター測定モジュールにより得た前記最大サンプリングパラメーターと前記最小サンプリングパラメーターから構成された区間を確定する区間確定モジュールと、
前記区間確定モジュールにより確定した区間内の数値と使用寿命の間の対応関係を確立する関係確立モジュールと、
をさらに備えることを特徴とする請求項７に記載の寿命の計算装置。
【請求項９】
前記使用寿命が使用百分比である場合、前記関係確立モジュールは、
前記区間を１００等分して、それぞれの数値を得る区間等分サブモジュールと、
前記区間等分サブモジュールにより得たそれぞれ数値の前記区間内における位置に基づいて、前記数値に対応する使用百分比を確定し、前記対応関係を確立する関係確立サブモジュールと、
を備えることを特徴とする請求項８に記載の寿命の計算装置。
【請求項１０】
前記パラメーター獲得モジュールは、
前記サンプリングパラメーターがサンプリング電流である場合、前記モーターのサンプリング電圧を獲得する電圧獲得サブモジュールと、
前記電圧獲得サブモジュールにより得たサンプリング電圧を前記モーターの抵抗で割って、前記サンプリングパラメーターを得るパラメーター獲得サブモジュールと、
を備えることを特徴とする請求項６〜９のいずれか１項に記載の寿命の計算装置。
【請求項１１】
プロセッサーと、
プロセッサーで実行可能な指令を記憶するためのメモリを備え、
前記プロセッサーは、
清浄器のモーターが所定の回転速度で回転するように制御し、
サンプリング電流とサンプリング電圧中の少なくとも１つである前記モーターのサンプリングパラメーターを獲得し、
前記サンプリングパラメーターに基づいて、前記清浄器の使用寿命を確定し、前記サンプリングパラメーターと前記使用寿命とは正の相関関係を有するように構成されることを特徴とする寿命の計算装置。
【請求項１２】
プロセッサーに実行されることにより、請求項１〜５のいずれか１項に記載の寿命の計算方法を実現する、プログラム。
【請求項１３】
請求項１２に記載のプログラムが記録されたコンピュータ読取可能な記録媒体。
【国際調査報告】
2018502274.tif 000010
2018502274.tif 000011
2018502274.tif 000012
2018502274.tif 000013